(57)【要約】【課題】筒部が排水管に十分に深く且つ十分にきつく内嵌するように構成された床フランジを提供する。【解決手段】床フランジ１０の筒部２０は、上部が急テーパ部２２であり下部が緩テーパ部２１である筒部長さＬが３０〜６０ｍｍの場合、緩テーパ部２１のテーパ角は１〜３°である。急テーパ部２２は、長さＬ２がＬの５〜２０％であり、テーパ角が緩テーパ部２１よりも１〜４°大きい。【選択図】図１
2008266916.tif 000002
【特許請求の範囲】
【請求項１】
トイレルームの床の排水管に内嵌する筒部と、該筒部の上端に連なっており、該床の上面に載置される鍔部とを有してなり、
該筒部は、下端に向って縮径するテーパ形状となっている排水管接続部材において、
該筒部の上部は、下側よりもテーパ角が大きい急テーパ部となっていることを特徴とする排水管接続部材。
【請求項２】
請求項１において、
前記筒部の長さが２５〜６０ｍｍであり、
前記急テーパ部の長さが筒部の５〜３０％であり、
該急テーパ部よりも下側のテーパ角が１〜３゜であり、該急テーパ部のテーパ角がそれよりも１〜５゜大きいことを特徴とする排水管接続部材。
【請求項３】
請求項１又は２において、塩化ビニル製であることを特徴とする排水管接続部材。
【発明の詳細な説明】
【技術分野】
【０００１】
本発明は、便器の排水口と排水管とを接続するための床フランジ、排水ソケットなどの排水管接続部材に関する。
【背景技術】
【０００２】
便器と排水管とを床フランジによって接続する従来例（特開平９−２９１５８２の従来技術の欄）について第３図を参照して説明する。
【０００３】
トイレルームの床１に排水管２が配設されている。この排水管２の上端に床フランジ３が装着されている。この床フランジ３は、排水管２内に挿入される筒部３ａと、該筒部３ａの上端に連なる鍔部３ｂを有する。この筒部３ａの外周面と排水管２の内周面とは接着剤によって接着されている。
この床フランジ３に便器４の座枠５が被さっており、該座枠５と床フランジ３との間に粘性ガスケット６が介在されている。この粘性ガスケット６は、非加硫ブチルゴム等の粘塑性及び粘着性を有した素材よりなり、フランジ３及び座枠５の排水口７の周囲部にそれぞれ水密的に密着している。
【０００４】
床フランジ３と座枠５とはＴボルト８及びナット９によって連結され、これにより便器４が固定される。Ｔボルト８は、鍔部３ｂに設けられたボルト挿通孔３ｃに下から上に向って挿通されている。
【０００５】
この床フランジ３の筒部３ａは、排水管２に内嵌し易くするために下方に向って縮径するテーパ形状となっている。
【０００６】
排水管２と筒部３ａとを接合する場合、筒部３ａの外周面に接着剤を塗布してから筒部３ａを排水管２内に差し込む。
【０００７】
床フランジの代わりに排水ソケットを用いて便器と排水管とを接続することも周知である（例えば特許文献２〜５）。
【特許文献１】特開平９−２９１５８２
【特許文献２】特開２００４−２０４４７６
【特許文献３】特開２００４−１９７３３１
【特許文献４】特開２００３−２２７１６５
【特許文献５】特開平７−０３４５１７
【発明の開示】
【発明が解決しようとする課題】
【０００８】
上記排水管２は、塩化ビニル（塩ビ）製であり、その外径及び肉厚はＪＩＳによって規定されている。この肉厚はその範囲が規定されているため、塩ビ管の内径は所定の範囲においてバラツクことになる。
【０００９】
このように排水管２の口径にバラツキがあっても、床フランジ３の筒部３ａは排水管２に対し、きつく且つ十分に深く差し込まれる必要がある。仮に筒部３ａが過度に小径であると、鍔部３ｂが床１に当接するまで筒部３ａが排水管２に差し込まれても、筒部３ａの外周と排水管２の内周との間に隙間が存在し、漏水や臭気漏れが生じるおそれがある。
【００１０】
逆に、筒部３ａが過度に大径であると、筒部３ａを排水管２に差し込んでいる途中でそれ以上筒部３ａを排水管２に押し込むことができなくなり、鍔部３ｂが床１から浮いてしまうことになる。
【００１１】
また、テーパーを過度につけて許容範囲を広くすると、筒部下端が必要以上に絞られることになり、排水性能に影響を与える恐れもでてくる。
【００１２】
本発明は、このような従来技術に鑑みて創案されたものであり、筒部が排水管に十分に深く且つ十分にきつく内嵌するように構成された床フランジ、排水ソケットなどの排水管接続部材を提供することを目的とする。
【課題を解決するための手段】
【００１３】
請求項１の排水管接続部材は、トイレルームの床の排水管に内嵌する筒部と、該筒部の上端に連なっており、該床の上面に載置される鍔部とを有してなり、該筒部は、下端に向って縮径するテーパ形状となっている床フランジにおいて、該筒部の上部は、下側よりもテーパ角が大きい急テーパ部となっていることを特徴とするものである。
【００１４】
請求項２の排水管接続部材は、請求項１において、前記筒部の長さが２５〜６０ｍｍであり、前記急テーパ部の長さが筒部の５〜３０％であり、該急テーパ部よりも下側のテーパ角が１〜３゜であり、該急テーパ部のテーパ角がそれよりも１〜５゜大きいことを特徴とするものである。
【００１５】
請求項３の排水管接続部材は、請求項１又は２において、塩化ビニル製であることを特徴とするものである。
【発明の効果】
【００１６】
本発明の排水管接続部材は、上部がテーパ角が大きいものとなっており、下側がテーパ角が小さいものとなっている。従って、テーパ角が小さい下側部分については、排水管に確実に差し込むことができるように比較的小径としておき、テーパ角が大きい筒部上部（急テーパ部）を排水管の内周面にきつく嵌めるよう構成することができる。
【００１７】
筒部に接着剤を塗布すると、筒部の外周面が滑り易い状態となり、筒部の外周面が排水管の内周面に当った後も、さらに筒部を排水管内に押し込むことができ、筒部を排水管内に十分に奥深く押し込むことができる。
【００１８】
なお、排水管は一般に塩ビ製であるので、本発明の床フランジも塩ビ製とされることが好ましい。塩ビ用接着剤を塩ビ製床フランジの筒部外周面に塗布すると、接着剤中の溶剤成分によって筒部外周面の表層が溶け、筒部が排水管内に押し込まれ易くなる。
【発明を実施するための最良の形態】
【００１９】
以下、図面を参照して実施の形態について説明する。なお、以下の説明において、排水管の口径が大き目又は小さ目とは、ＪＩＳ規格の許容範囲内において口径が大きい又は小さいことを表す。
【００２０】
第１図は実施の形態に係る床フランジの断面図、第２図はこの床フランジと排水管との接続途中の断面図である。
【００２１】
この床フランジ１０は、塩ビ製であり、前記第３図の床フランジと同様に、筒部２０と、この筒部２０の上端に連なる鍔部３０とを有している。鍔部３０には、床フランジ１０を床に留め付けるための皿ビスの挿通孔３１のほか、Ｔボルトを挿通させるためのボルト挿通孔（第３図参照。第１，２図では図示略。）が設けられている。
【００２２】
筒部２０は、下方に向って徐々に外径が小さくなるテーパ形状である。
【００２３】
この実施の形態では、筒部２０の上部は、比較的テーパ角が大きい急テーパ部２２であり、この急テーパ部２２よりも下側が比較的テーパ角の小さい緩テーパ部２１となっている。この筒部２０の長さＬは２５〜６０ｍｍ特に３０〜５０ｍｍ程度が好ましい。Ｌが２５ｍｍよりも小さいと、筒部２０の排水管２への差し込み長さが短くなり、漏水や臭気漏れが生じるおそれがある。一方、Ｌが６０ｍｍよりも長いと、筒部２０を排水管２に押し込みにくくなるおそれがある。
【００２４】
筒部上部を構成する急テーパ部２２の長さＬ２は、Ｌの５〜３０％特に１０〜２０％程度が好ましい。Ｌ２がＬの５％よりも小さいと、口径が大き目の排水管２の場合に漏水や臭気漏れが生じるおそれがある。Ｌ２がＬの３０％よりも長いと、口径が小さ目の排水管２の場合、筒部２０を排水管２に押し込みにくくなるおそれがある。
【００２５】
緩テーパ部２１のテーパ角は１〜３゜特に１〜１．５゜が好適であり、急テーパ部２２のテーパ角はそれよりも１〜５゜特に１．５〜４゜大きいことが好適である。緩テーパ部２１のテーパ角が１゜よりも小さいと、筒部２０を口径が小さ目の排水管２に押し込みにくくなるおそれがある。一方、緩テーパ部２１のテーパ角が３゜よりも大きいと、口径が大き目の排水管２の場合、接着面積が小さくなり、漏水や臭気漏れが生じるおそれがある。
【００２６】
急テーパ部２２のテーパ角が上記範囲よりも小さいと、口径が大き目の排水管２の場合に、筒部２０の全体が排水管２に差し込まれても排水管２の内周と筒部２０の上部との間に隙間が残り、漏水や臭気漏れが生じるおそれがある。また、急テーパ部２２のテーパ角が上記範囲よりも大きいと、口径が小さ目の排水管２の場合に、筒部２０の押し込み途中で、それ以上、筒部２０を排水管２内に押し込むことができなくなり、鍔部３０が床から浮くようになるおそれがある。
【００２７】
筒部２０の下端の直径（外径）Ｄｍｉｎと上端の直径（外径）Ｄｍａｘとの差は、１〜４ｍｍ特に１．５〜３ｍｍであることが好ましい。
【００２８】
このように構成された床フランジも、前記第３図の床フランジ３と同様に、筒部２０に接着剤を塗布して該筒部２０を排水管２に押し込むことにより排水管２と接合される。
【００２９】
筒部２０の長さやテーパ角が上記の範囲にあると、ＪＩＳで許容される範囲の口径の排水管であれば、筒部２０の排水管２への差し込み途中で筒部２０の外周が排水管２の内周に当接し、しかもそれ以降も筒部２０をさらに深く排水管２に押し込むことができる。
【００３０】
即ち、排水管２の口径が大き目であったとしても、筒部２０の上部の急テーパ部２２に排水管２の上端内周が当たり、筒部２０と排水管２との間を水密的、気密的に封じることができる。
【００３１】
また、排水管２の口径が小さ目であったとしても、緩テーパ部２１をこの排水管２内に差し込むことができる。この差し込み途中で排水管２の上端の内周が筒部２０の外周面に第２図の如く当接する。このとき、排水管２の上端から鍔部３０までの長さＰがある程度になっていれば、筒部２０を排水管２に十分に奥深くまで差し込み、鍔部３０をトイレルームの床に当接させることが可能となる。
【００３２】
即ち、前述の通り、塩ビ製の床フランジの場合、塩ビ用接着剤を筒部２０の外周面に塗布すると、接着剤中の溶剤成分によって筒部２０の外周面の表層が溶ける。そのため、排水管２の上端内周が筒部２０の外周に当った後でも、床フランジ１０を強く押すと、筒部２０が排水管２内に押し込まれる。このように排水管２の上端内周と筒部２０の外周とが当った後でも鍔部３０が床に当接するまで筒部２０を排水管２内に押し込むことが可能である。なお、この押し込み深さは、テーパーの傾斜によって異なるが、２０ｍｍ以下であることが好ましい。
【００３３】
上記実施の形態では、排水管接続部材は床フランジであるが、排水ソケットであってもよい。
【図面の簡単な説明】
【００３４】
【図１】実施の形態に係る床フランジの断面図である。
【図２】図１の床フランジと排水管との接合途中の断面図である。
【図３】従来の床フランジの設置構造を示す断面図である。
【符号の説明】
【００３５】
１  床
２  排水管
３，１０  床フランジ
３ａ，２０  筒部
３ｂ，３０  鍔部
２１  緩テーパ部
２２  急テーパ部
【図１】
2008266916.tif 000003
【図２】
2008266916.tif 000004
【図３】
2008266916.tif 000005